(57)【要約】【課題】  作業者が取付部位の一方の側から取付作業を行うことにより、タグを商品に取付けれるようにする。【解決手段】  タグをアワビに取付ける場合に、タグ取付具１の螺旋状弾性変形部材４を回転させながら吸水孔３６に挿入させて吸水孔３６の縁部３６ａまたは内周部３６ｂに係止させる。作業者は、殻３５の外側から取付作業を行うことにより、アワビの殻３５の内側に付着している身に損傷を与えることなく、タグ取付具１をアワビに取付けることができ、タグをアワビに取付けることができる。【選択図】  図１
2005190104.tif 000002
【特許請求の範囲】
【請求項１】
データを記録可能であると共に当該記録されているデータが電磁的または光学的に読取られるように構成されたタグを、少なくとも１つの孔が本体に形成されている商品に取付ける方法であって、
タグが取付可能にまたは一体に構成されると共に螺旋状に形成されて弾性変形可能な螺旋状弾性変形部材を備えたタグ取付具を用いて、前記螺旋状弾性変形部材を回転させながら孔に挿入させて孔の縁部または内周部に係止させることにより、前記タグ取付具を商品に取付けることを特徴とするタグ取付方法。
【請求項２】
データを記録可能であると共に当該記録されているデータが電磁的または光学的に読取られるタグが取付可能にまたは一体に構成されたタグ取付具であって、
螺旋状に形成されて弾性変形可能な螺旋状弾性変形部材を備え、
前記螺旋状弾性変形部材が商品の本体に形成されている孔に回転されながら挿入されて孔の縁部または内周部に係止され、商品に取付けられることを特徴とするタグ取付具。
【請求項３】
請求項２に記載したタグ取付具において、
前記螺旋状弾性変形部材は、全体として円錐形状または円錐台形状に形成されていることを特徴とするタグ取付具。
【請求項４】
請求項２または３に記載したタグ取付具において、
前記螺旋状弾性変形部材は、線状部材が螺旋状に巻回されて構成されていることを特徴とするタグ取付具。
【請求項５】
請求項４に記載したタグ取付具において、
前記螺旋状弾性変形部材は、断面形状が円形状の線状部材が螺旋状に巻回されて構成されていることを特徴とするタグ取付具。
【請求項６】
請求項４に記載したタグ取付具において、
前記螺旋状弾性変形部材は、断面形状が多角形状の線状部材が螺旋状に巻回されて構成されていることを特徴とするタグ取付具。
【請求項７】
請求項４ないし６のいずれかに記載したタグ取付具において、
前記螺旋状弾性変形部材は、巻径方向の巻回ピッチが線状部材の外径と同等以下になるように巻回されて構成されていることを特徴とするタグ取付具。
【請求項８】
請求項４ないし７のいずれかに記載したタグ取付具において、
前記螺旋状弾性変形部材は、巻径方向に垂直な方向の巻回ピッチが線状部材の外径と同等以下になるように巻回されて構成されていることを特徴とするタグ取付具。
【請求項９】
請求項２または３に記載したタグ取付具において、
前記螺旋状弾性変形部材は、外形が螺旋状の凹凸として成形されている弾性変形可能な一部材から構成されていることを特徴とするタグ取付具。
【請求項１０】
データを記録可能であると共に当該記録されているデータが電磁的または光学的に読取られるタグが取付可能にまたは一体に構成されると共に螺旋状に形成されて弾性変形可能な螺旋状弾性変形部材を備えたタグ取付具を商品に取付けるために用いられる取付装置であって、
前記螺旋状弾性変形部材を回転させる回転機構と、
前記螺旋状弾性変形部材が前記回転機構により回転されて前記タグ取付具が商品に取付けられた状態で前記タグ取付具を離脱させる離脱機構とを備えたことを特徴とする取付装置。
【請求項１１】
請求項１０に記載した取付装置において、
前記螺旋状弾性変形部材の前記回転機構による回転抵抗を検出して前記螺旋状弾性変形部材の回転を停止させるリリース機構を備えたことを特徴とする取付装置。
【発明の詳細な説明】
【技術分野】
【０００１】
本発明は、データを記録可能であると共に当該記録されているデータが電磁的または光学的に読取られるように構成されたタグを商品に取付ける方法、当該タグを商品に取付ける場合に用いられるタグ取付具、当該タグ取付具を商品に取付ける場合に用いられる取付装置に関する。
【背景技術】
【０００２】
ＲＦＩＤタグや二次元コードタグの利用形態の一つとして、これらのタグを例えば肉牛などの家畜に取付けることにより、家畜の生産地や生産者などを管理するものがある。この場合、タグを家畜に取付ける方法としては、例えばタグが内蔵されたプレートを耳の表側に配置し、ピンを耳の裏側から耳介を貫通するようにして差込み、ピンの先端部をプレートの通孔に装着することにより、タグを家畜に取付ける方法がある（特許文献１参照）。
【特許文献１】特開２００３−７０３７２号公報
【発明の開示】
【発明が解決しようとする課題】
【０００３】
しかしながら、タグを取付ける商品（タグ取付対象物）が例えば海産物の一つであるアワビである場合を想定すると、アワビの構造上、殻に吸水孔が形成されているものの、殻の内側に付着している身を損傷させないようにするために、作業者は、殻の外側からしか取付作業を行うことができない。つまり、タグをアワビに取付ける場合には、作業者は、取付部位である吸水孔の外側からしか取付作業を行うことができず、上記した特許文献１に記載されている方法を適用することができない。
【０００４】
本発明は、上記した事情に鑑みてなされたものであり、その目的は、作業者が取付部位の一方の側から取付作業を行うことにより、タグを商品に取付けることができるタグ取付方法、タグ取付具および取付装置を提供することにある。
【課題を解決するための手段】
【０００５】
請求項１に記載した取付方法によれば、データを記録可能であると共に当該記録されているデータが電磁的または光学的に読取られるように構成されたタグを、少なくとも１つの孔が本体に形成されている商品に取付ける場合に、タグが取付可能にまたは一体に構成されると共に螺旋状に形成されて弾性変形可能な螺旋状弾性変形部材を備えたタグ取付具を用いて、螺旋状弾性変形部材を回転させながら孔に挿入させて孔の縁部または内周部に係止させることにより、タグ取付具を商品に取付ける手順を行う。
【０００６】
これにより、作業者は、取付部位の一方の側から螺旋状弾性変形部材を回転させながら孔に挿入させて孔の縁部または内周部に係止させる取付作業を行うことにより、タグ取付具を商品に取付けることができ、タグを商品に取付けることができる。つまり、商品がアワビである場合には、作業者は、殻の外側から取付作業を行うことにより、アワビの殻の内側に付着している身に損傷を与えることなく、タグ取付具をアワビに取付けることができ、タグをアワビに取付けることができる。
【０００７】
尚、ここでいう電磁的に読取られるとは、タグがＲＦＩＤタグである場合に、ＲＦＩＤタグからデータが電磁界または電磁波を用いて非接触通信で読取られて復調されることをいうものであり、また、光学的に読取られるとは、タグが例えば１次元コードタグまたは２次元コードタグである場合に、１次元コードタグまたは２次元コードタグからコード情報が光学的画像としてコードリーダにより読取られてデコード化されることをいうものである。
【０００８】
請求項２に記載したタグ取付具によれば、データを記録可能であると共に当該記録されているデータが電磁的または光学的に読取られるタグが取付可能にまたは一体に構成されたものであって、螺旋状に形成されて弾性変形可能な螺旋状弾性変形部材を備え、螺旋状弾性変形部材が商品の本体に形成されている孔に回転されながら挿入されて孔の縁部または内周部に係止され、商品に取付けられるように構成した。
【０００９】
これにより、上記した請求項１に記載したものと同様にして、作業者は、取付部位の一方の側から螺旋状弾性変形部材を回転させながら孔に挿入させて孔の縁部または内周部に係止させる取付作業を行うことにより、タグ取付具を商品に取付けることができ、タグを商品に取付けることができる。つまり、商品がアワビである場合には、作業者は、殻の外側から取付作業を行うことにより、アワビの殻の内側に付着している身に損傷を与えることなく、タグ取付具をアワビに取付けることができ、タグをアワビに取付けることができる。
【００１０】
請求項３に記載したタグ取付具によれば、螺旋状弾性変形部材は、全体として円錐形状または円錐台形状に形成されているので、作業者は、螺旋状弾性変形部材を尖った方から孔に挿入させることにより、螺旋状弾性変形部材を孔に容易に挿入させることができる。
【００１１】
請求項４に記載したタグ取付具によれば、螺旋状弾性変形部材は、線状部材が螺旋状に巻回されて構成されているので、作業者は、螺旋状に巻回されている線状部材にあって隣接する同士で孔の外側からと内側からとで挟込む格好で螺旋状弾性変形部材を孔に確実に（強固に）係止させることができ、タグ取付具を商品に確実に取付けることができる。
【００１２】
請求項５に記載したタグ取付具によれば、螺旋状弾性変形部材は、断面形状が円形状の線状部材が螺旋状に巻回されて構成されているので、作業者は、螺旋状弾性変形部材から孔に与えられる損傷（ダメージ）を抑えることができる。
【００１３】
請求項６に記載したタグ取付具によれば、螺旋状弾性変形部材は、断面形状が多角形状の線状部材が螺旋状に巻回されて構成されているので、作業者は、螺旋状弾性変形部材を孔に食いつくようにして確実に係止させることができ、タグ取付具を商品に確実に取付けることができる。
【００１４】
請求項７に記載したタグ取付具によれば、螺旋状弾性変形部材は、巻径方向の巻回ピッチが線状部材の外径と同等以下になるように巻回されて構成されているので、螺旋状弾性変形部材が孔の縁部または内周部に係止された状態では、孔の内側にある線状部材と孔の外側にある線状部材とが本体を挟込むようになり、作業者は、タグ取付具を商品に確実に取付けることができる。
【００１５】
請求項８に記載したタグ取付具によれば、螺旋状弾性変形部材は、巻径方向に垂直な方向の巻回ピッチが線状部材の外径と同等以下になるように巻回されて構成されているので、螺旋状弾性変形部材が孔の縁部または内周部に係止された状態では、孔の内側にある線状部材と孔の外側にある線状部材との間に収縮しようとするバネ力が発生するようになり、作業者は、タグ取付具を商品に確実に取付けることができる。
【００１６】
請求項９に記載したタグ取付具によれば、螺旋状弾性変形部材は、外形が螺旋状の凹凸として成形されている弾性変形可能な一部材から構成されているので、螺旋状弾性変形部材を樹脂成形などで容易に且つ安価に製造することができる。
【００１７】
請求項１０に記載した取付装置によれば、データを記録可能であると共に当該記録されているデータが電磁的または光学的に読取られるタグが取付可能にまたは一体に構成されると共に螺旋状に形成されて弾性変形可能な螺旋状弾性変形部材を備えたタグ取付具を商品に取付けるために用いられるものであって、螺旋状弾性変形部材を回転させる回転機構と、螺旋状弾性変形部材が回転機構により回転されてタグ取付具が商品に取付けられた状態でタグ取付具を離脱させる離脱機構とを備えて構成した。
【００１８】
これにより、作業者は、本発明の取付装置を用いて、取付部位の一方の側から螺旋状弾性変形部材を回転させながら孔に挿入させて孔の縁部または内周部に係止させる取付作業を行うことにより、タグ取付具を商品に取付けることができ、タグを商品に取付けることができる。つまり、商品がアワビである場合には、作業者は、殻の外側から取付作業を行うことにより、アワビの殻の内側に付着している身に損傷を与えることなく、タグ取付具をアワビに取付けることができ、タグをアワビに取付けることができる。
【００１９】
請求項１１に記載した取付装置によれば、螺旋状弾性変形部材の回転機構による回転抵抗を検出して螺旋状弾性変形部材の回転を停止させるリリース機構を備えて構成したので、作業者は、螺旋状弾性変形部材が回転されながら孔に挿入させて孔の縁部または内周部に係止され、螺旋状弾性変形部材の回転抵抗が所定値を越えると、螺旋状弾性変形部材の回転をリリース機構により自動的に停止させることができ、取付作業を容易に行うことができる。また、螺旋状弾性変形部材の回転が過大になることを未然に回避することができ、螺旋状弾性変形部材の過大な回転により商品が破損してしまうことを未然に回避することができる。
【発明を実施するための最良の形態】
【００２０】
以下、本発明の一実施形態として、タグを取付ける商品としてアワビを適用し、タグが一体に構成されてなるタグ取付具をアワビに取付けることにより、タグをアワビに取付ける方法について、図面を参照して説明する。
まず、図２および図３は、タグ取付具の平面図、側面図および底面図を示している。タグ取付具１は、樹脂を材料として矩形状に成形されているタグ本体部２の裏面２ｂ側に、断面が円形状の線状部材３が全体として円錐形状に螺旋状に巻回されてなる螺旋状弾性変形部材４が取付けられて構成されている。この場合、螺旋状弾性変形部材４は、巻径方向（図２中矢印Ａ１，Ａ２方向）の巻回ピッチが線状部材３の外径（直径）と同等以下になるように巻回されていると共に、巻径方向に垂直な方向（図２中矢印Ｂ１，Ｂ２方向）の巻回ピッチも線状部材３の外径と同等以下になるように巻回されている。また、螺旋状弾性変形部材４は、全体として円錐台形状に構成されていても良い。
【００２１】
タグ本体部２は、タグとして機能するもので、図２に示すように、ＩＣチップ５とアンテナコイル６とが内蔵されてなるタグ部７が埋込まれているＲＦＩＤタグにより構成されていても良いし、図３に示すように、その表面２ａ側に２次元コード（本実施形態ではＱＲコード）８が印刷または添付されている２次元コードタグにより構成されていても良い。
【００２２】
図４は、上記したタグ取付具１をアワビに取付けるために用いられる取付装置の構成を概略的に示している。取付装置１１は、タグ取付具１（螺旋状弾性変形部材４）を回転させるための回転機構１２と、タグ取付具１を取付装置１１から離脱させるための離脱機構１３と、タグ取付具１を１個ずつ回転機構１２に切出すための切出機構１４とを備えて構成されている。
【００２３】
回転機構１２は、タグ取付具１を支持片部１５ａ，１５ｂにより支持する格好で収容可能なタグ取付具収容部１６を有する第１の回転体１７と、第２の回転体１８と、ベルト１９とを備えて構成されており、この場合、本体２０から第２の回転体１８に回転力が伝達されると、第２の回転体１８が回転軸Ｑを回転中心として回転し、その回転力がベルト１９を介して第１の回転体１７に伝達され、第１の回転体１７が回転軸Ｐを回転中心として回転するようになっている。
【００２４】
離脱機構１３は、上記した支持片部１５ａ，１５ｂから構成されており、タグ取付具収容部１６に収容されているタグ取付具１が支持されている状態（タグ取付具１がアワビに取付けられている状態）で取付装置１１の全体が図４中矢印Ｃ方向へ移動されると、支持片部１５ａが図４中矢印Ｄ１方向へ揺動すると共に支持片部１５ｂが図４中矢印Ｄ２方向へ揺動することにより（全体として開くことにより）、タグ取付具１が取付装置１１から離脱される（取外される）ように構成されている。
【００２５】
本体２０は、頭部２１と把持部２２とが一体に連なって構成されている。この場合、頭部２１は、複数のタグ取付具１を直列に収容可能な筒状のマガジン２３と、マガジン２３に収容されているタグ取付具１を１個ずつ回転機構１２に切出すための切出ソレノイド２４と、第２の回転体１８を回転させるための減速機付モータ２５と、第２の回転体１８の回転抵抗を検出するトルクリミッタ２６と、トルクリミッタ２６により検出された回転抵抗（負荷）が所定値を超えると、出力をオフからオンに切替えるトルクセンサ２６ａとを備えて構成されている。尚、この場合、本発明でいうリリース機構３７は、これらトルクリミッタ２６とトルクセンサ２６ａとから構成されている。
【００２６】
また、把持部２２は、作業者が操作するための例えば押しボタン式の操作スイッチ２７と、取付装置１１の動作全体を制御する制御回路２８とを備えると共に、動作電源となる電池２９が電池着脱機構（図示せず）を介して着脱可能に構成されている。尚、取付装置１１は、これらの他に動作状態を検出する各種のセンサ（例えば回転検出センサなど）が設けられて構成されても良い。
【００２７】
ここで、制御回路２８が切出ソレノイド２４をオンオフ制御することに応じてマガジン２３に収容されているタグ取付具１が１個ずつ回転機構１２に切出される態様について、図５を参照して説明する。可動部材３０は、２つの爪部３０ａ，３０ｂを有する形状に構成され、切出ソレノイド２４がオンオフ制御されることに応じて図５中右側の爪部３０ａが支点Ｅを回動中心として図５中矢印Ｆ１，Ｆ２方向に回動すると共に図５中左側の爪部３０ｂが支点Ｅを回動中心として図５中矢印Ｆ３，Ｆ４方向に回動するように構成されている。
【００２８】
この場合、可動部材３０は、切出ソレノイド２４がオンからオフに切替わると、爪部３０ａ側に設けられているコイルバネ３１のバネ力（引張力）が作用し、爪部３０ａが図５中矢印Ｆ２方向に付勢されると共に爪部３０ｂが図５中矢印Ｆ３方向に付勢され、爪部３０ｂが突出してタグ取付具１の移動を制限する（禁止する）ストッパとして機能する（図５（ｂ）参照）。このとき、マガジン２３に収容されているタグ取付具１は、マガジン２３の端部（図３では右端部）に設けられているコイルバネ３２（図４参照）のバネ力により、半ピッチ（２分の１ピッチ）分だけ回転機構１２に向けて図５中矢印Ｇ方向に移動する。
【００２９】
一方、切出ソレノイド２４がオフからオンに切替わると、切出ソレノイド２４と可動部材３０とを連結する連結部材３３が下方向（切出ソレノイド２４の方向）に引張られ、コイルバネ３１のバネ力に抗して、爪部３０ａが図５中矢印Ｆ１方向に付勢されると共に爪部３０ｂが図５中矢印Ｆ４方向に付勢され、爪部３０ａが突出してタグ取付具１の移動を制限するストッパとして機能する（図５（ｃ）参照）。このときも、マガジン２３に収容されているタグ取付具１は、マガジン２３の端部に設けられているコイルバネ３２のバネ力により、半ピッチ分だけ回転機構１２に向けて図５中矢印Ｇ方向に移動する。
【００３０】
このような制御により、マガジン２３に収容されているタグ取付具１は、切出ソレノイド２４が１回オンオフする毎に、１ピッチ分だけ回転機構１２に向けて図５中矢印Ｇ方向に移動する。
【００３１】
次に、このように構成された取付装置１１において、制御回路２８が行う処理について図６に示すフローチャートを参照して説明する。
制御回路２８は、作業者が操作スイッチ２７を操作した（オンした）旨を検出すると（ステップＳ１にて「ＹＥＳ」）、切出ソレノイド２４をオフからオンに切替える（ステップＳ２）。このとき、マガジン２３に収容されているタグ取付具１は、回転機構１２に向けて半ピッチだけ移動される。次いで、制御回路２８は、切出ソレノイド２４をオンからオフに切替える（ステップＳ３）。このときも、マガジン２３に収容されているタグ取付具１は、さらに回転機構１２に向けて半ピッチだけ移動される。このような制御により、マガジン２３にあって図４中最左位置に位置されているタグ取付具１は、マガジン２３から切出されて回転機構１２のタグ取付具収容部１６に収容される。
【００３２】
次いで、制御回路２８は、減速機付モータ２５をオフからオンに切替える（ステップＳ４）。このとき、回転機構１２のタグ取付具収容部１６に収容されているタグ取付具１は、第１の回転体１７と共に回転する。次いで、制御回路２８は、トルクセンサ２６ａの出力がオンされたか否かを監視する（ステップＳ５）。
【００３３】
ここで、タグ取付具１の回転抵抗が所定値を越え、回転抵抗が所定値を越えた旨がトルクリミッタ２６により検出されると、トルクセンサ２６ａの出力がオンされることになるので、制御回路２８は、減速機付モータ２５をオフからオンに切替えた後に、トルクセンサ２６ａの出力がオンされた旨を検出すると（ステップＳ５にて「ＹＥＳ」）、減速機付モータ２５をオンからオフに切替える（ステップＳ６）。このとき、回転機構１２のタグ取付具収容部１６に収容されているタグ取付具１は、第１の回転体１７と共に回転を停止する。
【００３４】
そして、制御回路２８は、作業者が操作スイッチ２７の操作を解除した（オフした）旨を検出すると（ステップＳ７にて「ＹＥＳ」）、上記した一連の処理を終了する。尚、上記した構成では、作業者は、蓋３４を開放することにより、複数のタグ取付具１をマガジン２２に収容することが可能になっている。
【００３５】
次に、上記した構成の作用として、このように構成されてなる取付装置１１を用いてタグ取付具１をアワビに取付ける手順について、図１を参照して説明する。この場合、アワビの殻３５（本発明でいう本体）には、自然的に少なくとも１つの吸水孔３６（本発明でいう孔）が形成されていることを前提として説明する。
【００３６】
最初に、作業者は、取付装置１１を殻３５（吸水孔３６）に近付け、タグ取付具収容部１６に収容されているタグ取付具１の螺旋状弾性変形部材４を吸水孔３６に挿入可能な位置に取付装置１１を位置決めする（図１（ａ）参照）。次いで、作業者は、取付装置１１の操作スイッチ２７を操作し、タグ取付具１をマガジン２３からタグ取付具収容部１６に切出し、タグ取付具収容部１６に収容されているタグ取付具１（の螺旋状弾性変形部材４）を回転させながら螺旋状弾性変形部材４を吸水孔３６に挿入させる。
【００３７】
ここで、螺旋状弾性変形部材４が吸水孔３６の縁部３６ａまたは内周部３６ｂに接触すると、タグ取付具１の回転抵抗が大きくなって所定値を超え、回転抵抗が所定値を越えた旨がトルクリミッタ２６により検出され、トルクセンサ２６ａの出力がオンされると、タグ取付具１が回転を自動的に停止することになる。その結果、螺旋状弾性変形部材４が吸水孔３６の縁部３６ａまたは内周部３６ｂで殻３５に係止されることになる（図１（ｃ）参照）。そして、作業者は、このようにしてタグ取付具１の螺旋状弾性変形部材４が吸水孔３６の縁部３６ａまたは内周部３６ｂで殻３５に係止された後に、取付装置１１を殻３５から遠ざける。
【００３８】
これにより、作業者は、以上に説明した一連の手順を行うことにより、殻３５の外側から取付作業を行うことにより、タグ取付具１をアワビに取付けることができ、ＲＦＩＤタグや２次元コードタグをアワビに取付けることができる。また、上記した一連の手順を連続して行うことにより、ＲＦＩＤタグや２次元コードタグを複数のアワビに連続して取付けることができる。
【００３９】
尚、以上は、タグ本体部２がタグ取付具１に一体に構成されているために、タグ取付具１をアワビに取付けると同時に、タグ本体部２をアワビに取付けることができ、ＲＦＩＤタグや２次元コードタグをアワビに取付けることができるものであるが、タグ本体部がタグ取付具とは別体に構成されている場合であれば、最初にタグ取付具をアワビに取付け、続いてタグ本体部をタグ取付具に取付けることにより、ＲＦＩＤタグや２次元コードタグをアワビに取付けることもできる。
【００４０】
ところで、タグ取付具は、以下に示すような構成であっても良い。すなわち、図７に示すように、タグ取付具４１において、４辺の長さが等しい４辺形状の断面形状を有する線状部材４２を採用し、その線状部材４２が螺旋状に巻回されてなる螺旋状弾性変形部材４３がタグ本体部２に取付けられている構成であっても良い（図７中「Ｌ１＝Ｌ２」）。また、図８に示すように、タグ取付具５１において、螺旋状に巻回された際に外側の２辺が内側の２辺よりも長くなる４辺形状の断面形状を有する線状部材５２を採用し、その線状部材５２が螺旋状に巻回されてなる螺旋状弾性変形部材５３がタグ本体部２に取付けられている構成であっても良い（図８中「Ｌ３＞Ｌ４」）。
【００４１】
また、図９に示すように、タグ取付具６１において、外面（外側の面）が螺旋状の凹凸として成形されている（ネジ形状をなす）例えば発泡ウレタンを材料とする弾性変形可能な一部材からなる螺旋状弾性変形部材６２がタグ本体部２に取付けられている構成であっても良い。さらに、図９に記載した螺旋状弾性変形部材６２に相当する部分とタグ本体部２に相当する部分とが一体成形されていても良く、つまり、図１０に示すように、タグ取付具７１において、外面が螺旋状に成形されている弾性変形可能な一部材からなる螺旋状弾性変形部材７２に、ＩＣチップ５とアンテナコイル６とが内蔵されてなるタグ部７が埋込まれている構成であっても良い。
【００４２】
尚、図７ないし図１０では、タグ取付具４１，５１，６１，７１がＲＦＩＤタグにより構成されている場合を説明したが、タグ取付具４１，５１，６１，７１が２次元コードタグにより構成されている場合も、これと同様である。
【００４３】
以上に説明したように本実施形態によれば、取付装置１１を用いて、タグ取付具１の螺旋状弾性変形部材４を回転させながら吸水孔３６に挿入させて吸水孔３６の縁部３６ａまたは内周部３６ｂに係止させるようにした。これにより、作業者は、殻３５の外側からタグ取付具１を回転させながら螺旋状弾性変形部材４を吸水孔３６に挿入させて吸水孔３６の縁部３６ａまたは内周部３６ｂに係止させる取付作業を行うことにより、アワビの殻３５の内側に付着している身に損傷を与えることなく、タグ取付具１をアワビに取付けることができ、ＲＦＩＤタグや２次元コードタグをアワビに取付けることができる。
【００４４】
また、この場合は、このように円錐形状に形成されている螺旋状弾性変形部材４を回転させながら吸水孔３６に挿入させて吸水孔３６の縁部３６ａまたは内周部３６ｂに係止させるので、吸水孔３６の孔径に多少のばらつきがあっても適切に対応することができる。
さらに、この場合は、取付装置１１にリリース機構３７が設けられているので、タグ取付具１の回転が過大になることを未然に回避することができ、タグ取付具１の過大な回転により殻３５が破損してしまうことを未然に回避することができる。
【００４５】
本発明は、上記した実施形態にのみ限定されるものではなく、以下のように変形または拡張することができる。
タグが取付けられる商品（タグ取付対象物）は、アワビに限らず、他のものであっても良い。また、自然的に形成されている孔を利用してタグを取付けることに限らず、人為的に孔を形成し、その人為的に形成されている孔を利用してタグを取付ける方法に適用しても良い。
【００４６】
取付装置において、タグ取付具を回転させるための回転機構、タグ取付具を取付装置から離脱させるための離脱機構、タグ取付具をマガジンから回転機構に切出すための切出機構は、他の原理が適用された構成であっても良い。
外面が螺旋状に成形されている（ネジ形状をなす）弾性変形可能な一部材からなる螺旋状弾性変形部材において、凹凸が三角形状に形成されている構成であっても良い。
【図面の簡単な説明】
【００４７】
【図１】本発明の一実施形態の手順を概略的に示す図
【図２】タグ取付具の平面図、側面図および底面図
【図３】図２相当図
【図４】取付装置の構成を概略的に示す断面図
【図５】取付装置の動作を概略的に示す図
【図６】制御回路の処理を示すフローチャート
【図７】タグ取付具の側面図およびタグ取付具がアワビに取付けられた態様を示す図
【図８】図７相当図
【図９】図７相当図
【図１０】図７相当図
【符号の説明】
【００４８】
図面中、１はタグ取付具、２はタグ本体部、３は線状部材、４は螺旋状弾性変形部材、１１は取付装置、１２は回転機構、１３は離脱機構、３５は殻（本体）、３６は吸水孔（孔）、３７はリリース機構、４１はタグ取付具、４２は線状部材、４３は螺旋状弾性変形部材、５１はタグ取付具、５２は線状部材、５３は螺旋状弾性変形部材、６１はタグ取付具、６２は螺旋状弾性変形部材、７１はタグ取付具、７２は螺旋状弾性変形部材である。
【図１】
2005190104.tif 000003
【図２】
2005190104.tif 000004
【図３】
2005190104.tif 000005
【図４】
2005190104.tif 000006
【図５】
2005190104.tif 000007
【図６】
2005190104.tif 000008
【図７】
2005190104.tif 000009
【図８】
2005190104.tif 000010
【図９】
2005190104.tif 000011
【図１０】
2005190104.tif 000012